(57)【特許請求の範囲】
【請求項１】
内部に氷塊(40)を貯留する筐体(28)と、該筐体(28)に下端部が回動可能に配設され、その上端部を筐体(28)に対して近接・離間するよう回動することで該筐体(28)に開設した氷取出口(30)を開閉する外扉(18)と、この外扉(18)の裏面と対向する氷案内板(12a)の幅方向両側に筐体(28)の両内側壁と対向する一対の側板(12b,12b)を備え、両側板(12b,12b)の下部に設けた回動支持部(12c,12c)を介して両内側壁間に回動自在に枢支され、前記外扉(18)の回動に追従して回動して氷取出口(30)を開閉する内扉(12)とからなる貯氷庫において、
前記内扉(12)における氷案内板(12a)の前面下部に、幅方向に長い長方形状の板部材を短手方向の略中央部で鈍角の山型に屈曲させて前面側に突出すると共に、短手方向に延在するスリット(22)が幅方向に離間して複数形成された規制体(50)が設けられ、
前記内扉(12)は、該内扉(12)を閉成した際には前記規制体(50)が前記氷取出口(30)の下部内周縁に対し庫内への手指等の挿入を許容する長さだけ離間すると共に、該内扉(12)を開放した際には前記規制体(50)が前記氷取出口(30)の下部内周縁に当接するよう位置決めされている
ことを特徴とする貯氷庫。
【請求項２】
内部に氷塊(40)を貯留する筐体(28)と、該筐体(28)に下端部が回動可能に配設され、その上端部を筐体(28)に対して近接・離間するよう回動することで該筐体(28)に開設した氷取出口(30)を開閉する外扉(18)と、この外扉(18)の裏面と対向する氷案内板(12a)の幅方向両側に筐体(28)の両内側壁と対向する一対の側板(12b,12b)を備え、両側板(12b,12b)の下部に設けた回動支持部(12c,12c)を介して両内側壁間に回動自在に枢支され、前記外扉(18)の回動に追従して回動して氷取出口(30)を開閉する内扉(12)とからなる貯氷庫において、
前記内扉(12)における氷案内板(12a)の前面下部に、幅方向に長い長方形状の板部材を断面コ字状となるよう屈曲成形して前面側に突出すると共に、短手方向の一端に設けたフランジ(56a)を介して氷案内板(12a)に配設される規制体(56)が設けられ、
前記規制体(56)のコ字状部分には、該規制体(56)の短手方向に延在するスリット(22)が幅方向に離間して複数形成され、
前記内扉(12)は、該内扉(12)を閉成した際には前記規制体(56)が前記氷取出口(30)の下部内周縁に対し庫内への手指等の挿入を許容する長さだけ離間すると共に、該内扉(12)を開放した際には前記規制体(56)が前記氷取出口(30)の下部内周縁に当接するよう位置決めされている
ことを特徴とする貯氷庫。
【発明の詳細な説明】
【０００１】
【発明の属する技術分野】
この発明は貯氷庫に関し、更に詳細には、貯氷庫に配設された氷取出用の内外の扉を開放した際に、庫内に貯留されている氷塊が内扉の隙間からこぼれ出ないようにした貯氷庫に関するものである。
【０００２】
【従来の技術】
製氷部で連続的に製造した氷塊を貯氷庫に貯留する自動製氷機が、喫茶店やレストラン等の施設その他の厨房において好適に使用されている。本発明は、この自動製氷機に採用される貯氷庫に関するものであるので、理解に資するため先ず貯氷庫の概略につき、図１０を参照して説明する。
【０００３】
図に示す貯氷庫１０は、所要形状に成型された外箱２４、内箱２６および両箱２４,２６間に充填された断熱材２７から構成された筐体２８を本体とし、該筐体２８の内部に、所要量の氷塊４０を貯留する貯氷室を画成すると共に、筐体２８の前面部には氷取出用の氷取出口３０が開設してある。また、氷取出口３０より下方の筐体２８前面にヒンジ３２が配設されると共に、該ヒンジ３２には外扉１８がその下端部を回動自在に枢支されている。そして、外扉１８の上端部を筐体２８の前面に対して近接・離間するようヒンジ３２を介して回動することで、前記氷取出口３０を開閉するよう構成される。なお、図示例の筐体２８は、該筐体２８の後方や側方に設けた図示しない製氷部から放出される氷塊を受容するために、後壁や側壁の上部に開口が設けられるものであるが、筐体２８の上方に配置した製氷部から放出される氷塊を受容するために天部を全面的に開放したものであってもよい。
【０００４】
前記筐体２８の内部には、前記外扉１８の回動に追従して回動して氷取出口３０を開閉する内扉１２が配設されている。この内扉１２は、その断面が略コ字状に成形された器状の部材であって、貯氷室(庫内)に貯留されている氷塊４０を筐体２８の前面側に案内する氷案内板１２ａと、該氷案内板１２ａの幅方向両端部においてこれと略直交するよう夫々立設された側板１２ｂ,１２ｂとから基本的に構成される。前記筐体２８の内箱２６における幅方向の両内側壁には、前記氷取出口３０の下部内周縁から庫内に所定間隔離間した位置に、対向するよう水平に突出する一対の支持部３６,３６が配設されている。そして、両支持部３６,３６を、前記側板１２ｂ,１２ｂの下部に穿設した取付孔(回動支持部)１２ｃ,１２ｃに回動自在に係合することにより、内扉１２は筐体２８に対して回動自在に枢支される。また内扉１２における氷案内板１２ａの上端は、前記外扉１８の裏面に配設された断面Ｌ字状のホルダ３８に係脱自在に係合するように構成されている。
【０００５】
前記外扉１８が氷取出口３０を閉成している状態では、図１０(ａ)に示す如く、前記内扉１２は、前記ホルダ３８に上端が係合した状態で略垂直位置に支持されている。そして、この状態から外扉１８の上端部を筐体２８の前方に向けて傾倒するよう該外扉１８を回動することにより、内扉１２はその上端がホルダ３８に係合した状態で外扉１８に追従して一体的に回動する。このとき内扉１２は、外扉１８とは異なった回動支点を中心に回動するため、外扉１８のホルダ３８と内扉１２の上端とは、その回動につれて相互に離間移動し、外扉１８が所定位置まで回動したときにホルダ３８が内扉１２の上端から離脱する。更に外扉１８を回動終点まで回動する際には、内扉１２はその上端を外扉１８の裏面に沿って摺動させつつ外扉１８と一体的に筐体２８の前方に傾倒し、図１０(ｂ)に示すように前記氷取出口３０を開放する。
【０００６】
前記外扉１８を回動終点まで回動させた際には、図１０(ｂ)に示すように、前記内扉１２は、氷案内板１２ａが外扉１８と略平行となる位置で停止すると共に、一対の側板１２ｂ,１２ｂが庫内から庫外に亘って延在する状態で臨む。これにより貯氷室内に貯留された氷塊４０は、前記氷案内板１２ａで筐体２８の前面側に案内されると共に、側板１２ｂ,１２ｂによって氷取出口３０から外部側方にこぼれ落ちるのは阻止される。
【０００７】
【発明が解決しようとする課題】
前述した貯氷庫１０では、前記内扉１２を開放した際に氷案内板１２ａと氷取出口３０の下部内周縁との間に、氷塊４０が外部にこぼれ落ちる隙間が画成されるのを防ぐために、該内扉１２を枢支する支持部３６,３６が、内箱２６における氷取出口３０に極めて近接する位置に設定されている。このため支持部３６,３６を内箱２６と一体成形した場合には、該支持部３６,３６と内箱２６との接続部分等に良好な仕上がりが期待できないばかりか、内箱２６に対する内扉１２の取付けが困難となる欠点があった。そのため従来は、内箱２６を複数の板材を相互に連結して構成すると共に、前記支持部３６,３６についても後付けにより配設していた。例えば支持部３６,３６を設けるべき箇所に、円筒状の突起部を水平方向に対向して接着したり、あるいは内箱２６に穴を設け、該穴に支持部３６を取付けるためのシャフトやネジ等の止着部材を配設していた。しかるにこの場合には、必然的に部品点数が多くなってコストが嵩む欠点を招いていた。また清掃等のために内扉１２を内箱２６から取外す際には、これらの止着部材等を内箱２６から取外さなければならず、多くの時間と手間が掛かる等の難点も指摘される。更には、内箱２６が一体成形でないため、各板材の継目やコーナー部の洗浄が困難であった。
【０００８】
なお、前記内扉１２の前面下部に膨出部を設け、内扉１２の開閉状態の如何に拘らず、常に氷取出口３０の下部内周端に膨出部を近接させるよう構成することで、内扉１２と内箱２６との枢支位置を氷取出口３０の下部内周端から離間させる提案がある。しかしこの場合は、膨出部が氷取出口３０の下部内周端に常に近接しているため、該部分の清掃が極めて困難であり、清掃に際しては内箱２６から内扉１２を取外す煩雑な作業が必要となっていた。
【０００９】
【発明の目的】
本発明は、前述した従来の技術に内在している前記課題に鑑み、これを好適に解決するべく提案されたものであって、氷取出口を開閉する内扉を開放した際に庫内から氷塊がこぼれ出るのを防止すると共に、清掃を容易に行ない得る貯氷庫を提供することを目的とする。
【００１０】
【課題を解決するための手段】
前記課題を克服し、所期の目的を好適に達成するため本発明に係る貯氷庫は、
内部に氷塊を貯留する筐体と、該筐体に下端部が回動可能に配設され、その上端部を筐体に対して近接・離間するよう回動することで該筐体に開設した氷取出口を開閉する外扉と、この外扉の裏面と対向する氷案内板の幅方向両側に筐体の両内側壁と対向する一対の側板を備え、両側板の下部に設けた回動支持部を介して両内側壁間に回動自在に枢支され、前記外扉の回動に追従して回動して氷取出口を開閉する内扉とからなる貯氷庫において、
前記内扉における氷案内板の前面下部に、幅方向に長い長方形状の板部材を短手方向の略中央部で鈍角の山型に屈曲させて前面側に突出すると共に、短手方向に延在するスリットが幅方向に離間して複数形成された規制体が設けられ、
前記内扉は、該内扉を閉成した際には前記規制体が前記氷取出口の下部内周縁に対し庫内への手指等の挿入を許容する長さだけ離間すると共に、該内扉を開放した際には前記規制体が前記氷取出口の下部内周縁に当接するよう位置決めされていることを特徴とする。
前記課題を克服し、所期の目的を好適に達成するため本願の別の発明に係る貯氷庫は、
内部に氷塊を貯留する筐体と、該筐体に下端部が回動可能に配設され、その上端部を筐体に対して近接・離間するよう回動することで該筐体に開設した氷取出口を開閉する外扉と、この外扉の裏面と対向する氷案内板の幅方向両側に筐体の両内側壁と対向する一対の側板を備え、両側板の下部に設けた回動支持部を介して両内側壁間に回動自在に枢支され、前記外扉の回動に追従して回動して氷取出口を開閉する内扉とからなる貯氷庫において、
前記内扉における氷案内板の前面下部に、幅方向に長い長方形状の板部材を断面コ字状となるよう屈曲成形して前面側に突出すると共に、短手方向の一端に設けたフランジを介して氷案内板に配設される規制体が設けられ、
前記規制体のコ字状部分には、該規制体の短手方向に延在するスリットが幅方向に離間して複数形成され、
前記内扉は、該内扉を閉成した際には前記規制体が前記氷取出口の下部内周縁に対し庫内への手指等の挿入を許容する長さだけ離間すると共に、該内扉を開放した際には前記規制体が前記氷取出口の下部内周縁に当接するよう位置決めされていることを特徴とする。
【００１１】
【発明の実施の形態】
次に、本発明に係る貯氷庫につき、好適な実施例を挙げて、添付図面を参照しながら以下説明する。なお、従来の技術で説明した部材と同一の部材に関しては、同一の符号を付すと共にその詳細な説明は省略する。
【００１２】
図１に示す如く、実施例に係る貯氷庫１０に配設される内扉１２は、前述したように、筐体２８に回動自在に枢支された外扉１８の裏面と対向する氷案内板１２ａと、該氷案内板１２ａの幅方向両側に配設されて筐体２８における内箱２６の両内側壁と対向する一対の側板１２ｂ,１２ｂと、両側板１２ｂ,１２ｂの下部に設けた回動支持部としての取付孔１２ｃ,１２ｃとから基本的に構成され、両取付孔１２ｃ,１２ｃに、内箱２６の対応位置に設けた支持部３６,３６を係合することで、当該内扉１２は筐体２８(内箱２６)に回動に枢支される。この内扉１２における氷案内板１２ａの前面下部には、前面側に所要高さで突出する規制体１６が設けられている。この規制体１６は、図２に示すように、長方形状の板部材をその短手方向の略中央部で鈍角の山型に屈曲してなるものであって、このように成形された別部材としての規制体１６が、氷案内板１２ａにネジまたは接着等の手段により取付けられている。また規制体１６は、その幅寸法が、前記氷案内板１２ａの対応する幅寸法(両側板１２ｂ,１２ｂ間の長さ)よりも若干短く設定されるが、後述する開放状態において、内箱２６の両内側壁と規制体１６の幅方向両端との間に生ずる隙間から氷塊４０が外部にこぼれ出ることはないよう構成してある。なお、規制体１６の幅寸法に関しては、前記氷取出口３０の内部幅寸法より僅かに短かい寸法に設定して、内箱２６の両内側壁と規制体１６の幅方向両端との間に生ずる隙間を小さくすることが推奨される。
【００１３】
前記内箱２６の両内側壁に設けられる支持部３６,３６は内箱２６と一体に成形されたものであって、その位置は、前記氷取出口３０の下部内周縁から離間した位置に設定されている。そして、この支持部３６,３６を介して内箱２６に回動自在に枢支される内扉１２は、図１(ａ)に示すように、該内扉１２を閉成した際には前記規制体１６が前記氷取出口３０の下部内周縁から所定長さだけ離間すると共に、図１(ｂ)に示すように、該内扉１２を開放した際には前記規制体１６が前記氷取出口３０の下部内周縁に当接するよう位置決めされる。なお、内扉１２を閉成した際における規制体１６と氷取出口３０の下部内周縁との離間間隔は、庫内への手指等の挿入を許容する長さに設定されている。また前記規制体１６は、内扉１２が前記ホルダ３８によって外扉１８と共に強制的に開放方向に回動される際には、外扉１８を閉成した状態で該規制体１６と氷取出口３０の下部内周縁との間に生じる間隙部分に介在している氷塊４０に対して上方から当接してこれを貯氷室内に押し戻すよう構成される。なお、外扉１８はパッキンを介して氷取出口３０を密閉するよう構成してあるから、前記規制体１６と氷取出口３０の下部内周縁との間に生じる間隙部分から庫内の冷気が外部に洩れることはない。
【００１４】
前記内箱２６における一方の内側壁には、図３に示す如く、前記支持部３６,３６の上方でかつ内扉１２の上端における回動軌跡に臨む位置にストッパ２０が一体に突設されている。このストッパ２０は、前記外扉１８を開放した状態で、内扉１２のみ閉成方向に回動した際に、該内扉１２を略垂直姿勢に保持して庫内側への傾倒を防止するべく機能する。なお内箱２６の両内側壁に、対向的にストッパ２０,２０を設けてもよい。
【００１５】
【実施例の作用】
次に、前述した貯氷庫の作用につき説明する。この貯氷庫１０では、図１(ａ)に示すように、前記筐体２８の氷取出口３０を前記外扉１８で閉成した状態において、前記内扉１２の氷案内板１２ａに設けられた前記規制体１６は、氷取出口３０の下部内周縁から離間している。このとき氷案内板１２ａの下端は、氷取出口３０の下部内周縁よりも低い位置に到来しているため、貯氷室に貯留されている氷塊４０の一部が、規制体１６と氷取出口３０との間隙部分から筐体２８の外部にこぼれ出ることはない。
【００１６】
この状態から前記外扉１８を筐体２８の前方に回動することにより、前述した如く、該外扉１８の裏面に配設した前記ホルダ３８が、内扉１２における氷案内板１２ａの上端と係合して、該内扉１２を筐体２８の前方に一体的に回動させる。そして、回動途次における所定位置まで外扉１８が回動すると、氷案内板１２ａからホルダ３８が離脱するが、内扉１２はこれ以後も、その自重によって氷案内板１２ａの上端が外扉１８の裏面を摺動しつつ一体的に回動する。そして外扉１８が回動終点に達すると、内扉１２も同様にその回動終点に達する。このとき内扉１２に設けた前記規制体１６は、図１(ｂ)に示すように、前記氷取出口３０の下部内周縁に当接する。なお、内扉１２を開放する前の状態では、規制体１６と氷取出口３０の下部内周縁との間に生じる間隙部分に、貯氷室内に貯留された一部の氷塊４０が介在している場合もあるが、内扉１２が前記ホルダ３８によって外扉１８と共に強制的に回動されることにより、当該氷塊４０に対して前記規制体１６が上方から回動当接して貯氷室内に押し戻し、開放に支障を来たすことはない。
【００１７】
前記外扉１８および内扉１２を開放した際には、前記氷取出口３０の下部内周縁に規制体１６が当接して両者３０,１６間の間隙は略全面的に閉成されるから、作業者が氷塊４０を取出すためにスコップ等を氷塊群に差込む圧力により該氷塊群が押された場合であっても、氷取出口３０と内扉１２との間から氷塊４０が外部にこぼれ落ちるのは確実に防止される。また内扉１２を開放することによって、前述した如く、氷案内板１２ａの上面に氷塊４０が案内放出されることになるが、該氷案内板１２ａは規制体１６によって剛性が向上していると共に、該規制体１６が氷取出口３０の下部内周縁に当接しているので、氷塊４０の自重では容易に湾曲することがない。更には、氷塊４０と共に例えば使用者が内扉１２を手等で押圧することもあり得るが、この場合であっても、該案内板１２ａ自体がこの押圧力に耐え得るようになっている。
【００１８】
ここで、前記支持部３６,３６を氷取出口３０から所定距離だけ離間した位置に設けると共に、前記内扉１２に規制体１６を配設していない場合には、内扉１２の氷案内板１２ａに多数の氷塊４０が載置されると、図４に示す如く、その荷重によって該氷案内板１２ａ全体が下方に向けて湾曲すると共に、両側板１２ｂ,１２ｂが内箱２６の両内側壁から離間する内側に向けて傾動する。このため両側板１２ｂ,１２ｂと内箱２６の両内側壁との間に生じる隙間を介して、貯氷室に貯留されている氷塊４０の一部がこぼれ出る懸念がある。しかるに、実施例のように内扉１２の氷案内板１２ａに規制体１６を配設したことにより、該氷案内板１２ａの剛性が向上し、かつ規制体１６が氷取出口３０の下部内周縁に当接するので撓みが好適に防止される。すなわち、両側板１２ｂ,１２ｂが内箱２６の両内側壁から殆ど離間しないため、両者の間から氷塊４０がこぼれ出るのは防止される。
【００１９】
前記外扉１８を開放した状態で内扉１２のみを閉成方向に回動させ、前記氷案内板１２ａを内箱２６に設けた前記ストッパ２０に当接させることにより、図３に示す如く、内扉１２は氷取出口３０の内側で略垂直姿勢に保持される。このとき前記規制体１６と氷取出口３０の下部内周縁との間には、前述したように、手指等を挿入するのに必要充分な間隙が生じるため、該内扉１２を内箱２６から取外すことなく、氷取出口３０の下部内周縁や内扉１２との間の部分を容易に清掃することができる。また、前記氷案内板１２ａに規制体１６を設けることで、筐体２８に対する内扉１２の枢支位置(支持部３６,３６の配設位置)を氷取出口３０の下部内周縁から離間する位置に設定することができるから、内箱２６を一体成形しても支持部３６,３６の成形部位を良好に仕上げ得る。従って、内箱２６自体の清掃も容易となる。
【００２０】
前記内扉１２の全面清掃や交換作業を行なうに際して該内扉１２を内箱２６から取外す場合は、手指等で前記側板１２ｂ,１２ｂを把持した状態で、これらを相互に近接させることで、前記支持部３６,３６を取付孔１２ｃ,１２ｃから離脱させる。この場合に、支持部３６,３６は氷取出口３０の下部内周縁から離間する位置に設けられているから、この取外しあるには逆の取付け作業を容易に行ない得る。なお、内扉１２の取外しおよび取付けに際しては、氷案内板１２ａを湾曲させる必要があるので、その湾曲を容易とするために、前記規制体１６にスリットを設けたり、厚みを適宜設定することが推奨される。
【００２１】
【別実施例】
図５〜図９は、内扉１２に設けられる規制体の別実施例を示すものであって、図５に示す第１別実施例では、基本的には実施例と同じく構成された規制体５０に、幅方向に所定間隔で複数のスリット２２を設け、氷案内板１２ａの剛性を向上しつつ湾曲を許容し得るよう構成してある。すなわち、規制体５０を配設することにより氷案内板１２ａの剛性が向上することで、前記支持部３６,３６に対する内扉１２の取付けや取外しが困難とならないようになっている。なお、氷案内板１２ａに対して幅寸法の短かい複数の規制体を、幅方向に所定間隔離間して配設することでも、第１別実施例と同様の効果を奏する。
【００２２】
図６に示す第２別実施例に係る規制体５２は、前記氷案内板１２ａとは別体の板部材を略Ｌ字形状に形成したものであって、図に示すように、一方の屈曲片５２ａを氷案内板１２ａの幅方向に沿って取付けることで、他方の屈曲片５２ｂを該氷案内板１２ａと直交方向して立上がるようにしている。また各屈曲片５２ａ,５２ｂのうち、少なくとも氷案内板１２ａと直交する他方の屈曲片５２ｂは、その高さが、前記内扉１２を閉成した際(またはストッパ２０で位置規制された状態)に前記氷取出口３０の下部内周縁から所要長さだけ離間すると共に、該内扉１２をその回動終点まで開放した際には、該氷取出口３０の下部内周縁に突出端部が当接するよう設定されている。
【００２３】
図７に示す第３別実施例に係る規制体５４は、前記内扉１２の下端から上端に向けて所要角度で延在するよう一体的に成形された板状のものである。すなわちこの規制体５４は、前記氷案内板１２ａ自体の一端部を該規制体５４の長さ分だけ予め加えた寸法で成形しておき、これを該氷案内板１２ａの前面に向けて所定角度で折返すことで形成される。なお規制体５４の長さは、氷案内板１２ａの対応する長さよりも充分短い寸法に設定されている。また規制体５４が氷案内板１２ａに対して傾斜する角度は、該規制体５４の開放端部と氷案内板１２ａとの離間幅が所定寸法となるよう設定される。すなわちこの所定寸法とは、前記内扉１２を閉成した際(またはストッパ２０で位置規制された状態)に、該規制体５４が前記氷取出口３０の下部内周縁から所要長さだけ離間すると共に、該内扉１２をその回動終点まで開放した際には、該氷取出口３０の下部外周縁に該規制体５４の開放端部近傍が当接する寸法である。
【００２４】
図８に示す第４別実施例に係る規制体５６は、長方形状の板部材を断面コ字状となるよう屈曲成形すると共に、短手方向の一端にフランジ５６ａを成形し、該フランジ５６ａを介して内扉１２の氷案内板１２ａに配設されている。この規制体５６は、その幅寸法が、前記氷案内板１２ａの対応する幅寸法(両側板１２ｂ,１２ｂ間の長さ)よりも若干短く、また短手方向に沿って屈曲成型されるコ字状部分の長さ寸法が、氷案内板１２ａの対応する長さ寸法(上下端間の長さ)よりも充分短く設定される。そしてコ字状部分の高さは、前記内扉１２を閉成した際(またはストッパ２０で位置規制された状態)に、該規制体５６が前記氷取出口３０の下部内周縁から所要長さだけ離間すると共に、該内扉１２をその回動終点まで開放した際には、該氷取出口３０の下部内周縁に該コ字状部分の開放端部が当接する寸法に設定されている。なお規制体５６のコ字状部分には、図に示す如く、幅方向に所定間隔で複数のスリット２２が設けられており、このスリット２２によって内扉１２の前記支持部３６,３６に対する取付けおよび取外し作業を容易化するよう構成してある。
【００２５】
図９に示す第５別実施例に係る規制体５８は、前記氷案内板１２ａの下部近傍を、前面側に突出する断面山型に一体成形したものである。この規制体５８の形状自体は、第１別実施例の規制体５０と略同一に設定されたものであって、この規制体５８が前記側板１２ｂ,１２ｂの突出方向とは逆方向に向けて突出成形されている。この規制体５８も、前述したように、その高さが前記内扉１２を閉成した際(またはストッパ２０で位置規制された状態)に、該規制体５８が前記氷取出口３０の下部内周縁から所要長さだけ離間すると共に、該内扉１２をその回動終点まで開放した際には、該氷取出口３０の下部周縁に該規制体５８の突出端部が当接する寸法に設定されている。
【００２６】
なお、本発明に係る貯氷庫は、自動製氷機に一体的に構成されて、該製氷機の製氷部で製造された氷塊を貯留するものであっても、また自動製氷機とは別体で構成されて、別場所の製氷部で製造した氷塊を貯留するものであってもよい。また実施例では、内箱の両内側壁に突状の支持部を設けると共に、内扉の側板に取付孔を形成して両者を回動自在に係合するよう構成したが、内扉の側板に回動支持部としての突起を設けると共に、内箱の流内側壁に対応する凹部を形成したものであってもよい。
【００２７】
【発明の効果】
以上説明した如く、本発明に係る貯氷庫では、筐体に回動自在に枢支した内扉において、該内扉を閉成した際には規制体が氷取出口の下部内周縁から所定長さだけ離間すると共に、該内扉を開放した際には規制体が氷取出口の下部内周縁に当接するよう位置決めしたので、内扉を開放した際には、該内扉と氷取出口の下部内周縁との間に隙間は生じないから、庫内に貯留されている氷塊が内扉と氷取出口の下部内周縁との間から外部にこぼれ出るのを確実に防止し得る。また内扉を閉成したときには、規制体と氷取出口の下部内周縁との間に手指等を挿入するのに必要充分な間隙が生ずるので、内扉を筐体から取外すことなく、氷取出口の下部内周縁や内扉との間の部分を容易に清掃することができ、作業時間を短縮し得る。更には、氷案内板に規制部を設けることで該氷案内板自体の剛性が向上すると共に、内扉を開放した際には規制部が氷取出口の下部内周縁に当接するよう構成したから、多くの氷塊が載った場合であっても湾曲することはなく、湾曲に伴う氷塊のこぼれ落ちも防止し得る。また、規制体にスリットを設けることで氷案内板の湾曲を許容し、内扉の取付けや取外しが困難となることはない。
【図面の簡単な説明】
【図１】 本発明の実施例に係る貯氷庫を示す一部縦断側面図である。
【図２】 貯氷庫に配設される内扉を示す正面図および側面図である。
【図３】 内箱のみを氷取出口に向けて回動させた状態を示す一部縦断側面図である。
【図４】 貯氷庫に配設される内扉が湾曲する状態を示す説明図である。
【図５】 第１別実施例に係る規制体が設けられる内扉の正面図である。
【図６】 第２別実施例に係る規制体が設けられる内扉の正面図および側面図である。
【図７】 第３別実施例に係る規制体が設けられる内扉の正面図および側面図である。
【図８】 第４別実施例に係る規制体が設けられる内扉の正面図および側面図である。
【図９】 第５別実施例に係る規制体が設けられる内扉の正面図および側面図である。
【図１０】 従来の技術に係る貯氷庫を示す一部縦断側面図である。
【符号の説明】
１２ 内扉，１２ａ 氷案内板，１２ｂ 側板，１２ｃ 取付孔(回動支持部)
１６ 規制体，１８ 外扉，２２ スリット，２８ 筐体，３０ 氷案内口，４０ 氷塊
５０ 規制体(第１別実施例)，５２ 規制体(第２別実施例)
５４ 規制体(第３別実施例)，５６ 規制体(第４別実施例)
５８ 規制体(第５別実施例)
【図１】
0004293660.tif 000002
【図２】
0004293660.tif 000003
【図３】
0004293660.tif 000004
【図４】
0004293660.tif 000005
【図５】
0004293660.tif 000006
【図６】
0004293660.tif 000007
【図７】
0004293660.tif 000008
【図８】
0004293660.tif 000009
【図９】
0004293660.tif 000010
【図１０】
0004293660.tif 000011